(57)【要約】【課題】本発明の目的は、複数の記録媒体に記録される複数の画像から表示する画像を切り替える際の操作性を向上させることである。【解決手段】第一の記録媒体に記録される第一の画像から第二の画像までの複数の画像と、第二の記録媒体に記録される第三の画像から第四の画像までの複数の画像とからなる複数の画像のうち、表示部に表示する画像を切り替える切替手段と、表示部に対するタッチ操作を検出可能なタッチ検出手段と、表示部の第一の領域における第一の方向へタッチ位置を移動する操作である第一の操作がされたことに応じて第二の画像が表示された後、第一の操作がされると、第三の画像へと切り替え、第二の領域において第一の方向へタッチ位置を移動する第二の操作がされたことに応じて第二の画像が表示された後、継続して第二の操作がされても第三の画像へとは切り替えないように切替手段を制御する制御手段とを有することを特徴とする。【選択図】図４
2018132827.tif 000002
【特許請求の範囲】
【請求項１】
第一の記録媒体に記録される第一の画像から第二の画像までの複数の画像と、第二の記録媒体に記録される第三の画像から第四の画像までの複数の画像とからなる複数の画像のうち、表示部に表示する画像を切り替える切替手段と、
前記表示部に対するタッチ操作を検出可能なタッチ検出手段と、
前記表示部の第一の領域における第一の方向へタッチ位置を移動する操作である第一の操作がされたことに応じて前記第二の画像が表示された後、前記第一の操作がされると、前記第三の画像へと切り替え、第二の領域において前記第一の方向へタッチ位置を移動する第二の操作がされたことに応じて前記第二の画像が表示された後、継続して前記第二の操作がされても前記第三の画像へとは切り替えないように前記切替手段を制御する制御手段とを有することを特徴とする表示制御装置。
【請求項２】
前記制御手段は、前記第二の操作が開始された際に前記表示部に表示されている画像から前記第二の操作におけるタッチ位置の移動距離に応じた枚数だけ離れた順番の画像が、前記第一の記録媒体に記録される複数の画像のうち、前記第一の記録媒体に記録される画像の最初または最後の順番の画像でない場合には、前記離れた順番の画像へと切り替えるように前記切替手段を制御することを特徴とする請求項１に記載の表示制御装置。
【請求項３】
前記制御手段は、更に、前記第二の領域においてタッチが開始されたことに応じて、操作バーを前記表示部に表示することを特徴とする請求項１または２に記載の表示制御装置。
【請求項４】
前記制御手段は、前記第二の画像が表示された後、継続して前記第二の操作がされたことに応じて前記操作バーの表示形態を変更することを特徴とする請求項３に記載の表示制御装置。
【請求項５】
前記第二の領域は、長手方向が前記第一の方向であることを特徴とする請求項１乃至４のいずれか１項に記載の表示制御装置。
【請求項６】
前記制御手段は、前記第二の操作により前記第二の画像が表示された後、前記第二の画像が表示された状態で、新たに前記第二の操作が開始されたことに応じて前記第三の画像へと切り替えるように前記切替手段を制御する請求項１乃至５のいずれか１項に記載の表示制御装置。
【請求項７】
前記制御手段は、前記第二の画像が表示された状態で、新たに前記第二の操作が開始されて前記第三の画像が表示された後、継続して前記第二の操作がされても前記第三の画像からは画像を切り替えないように前記切替手段を制御する請求項６に記載の表示制御装置。
【請求項８】
前記第一の記録媒体と前記第二の記録媒体とに同じ画像をもとにした画像データを記録する第一の記録形式と、前記第一の記録媒体と前記第二の記録媒体とに異なる画像の画像データを記録する第二の記録形式とから記録形式を選択可能な選択手段をさらに有することを特徴とする請求項１乃至５のいずれか１項に記載の表示制御装置。
【請求項９】
前記制御手段は、前記記録形式が前記第一の記録形式の場合に、前記第二の画像が表示された状態で、継続して前記第二の操作がされたことに応じて前記第一の記録媒体に記録されている画像の最初または最後の順番の画像のうち、前記第二の画像とは異なる方の画像へと切り替えるように前記切替手段を制御することを特徴とする請求項８に記載の表示制御装置。
【請求項１０】
前記制御手段は、前記記録形式が前記第一の記録形式の場合に、前記第二の画像が表示された状態で、新たに前記第二の操作がされても、前記第三の画像へと切り替えないように前記切替手段を制御することを特徴とする請求項８または９に記載の表示制御装置。
【請求項１１】
前記第二の記録形式は、前記第一の記録媒体に静止画が記録され、前記第二の記録媒体に動画が記録される記録形式、または第一の記録媒体への記録から前記第二の記録媒体へと記録する記録媒体を変更する順次記録のいずれかであることを特徴とする請求項８乃至１０のいずれか１項に記載の表示制御装置。
【請求項１２】
前記第一の記録形式は、前記第一の記録媒体と前記第二の記録媒体とに、同一の画像を記録するバックアップ記録の設定、ＲＡＷ画像とＪＰＥＧ画像とそれぞれ記録するＲＡＷ／ＪＰＥＧ記録の設定のいずれかであることを特徴とする請求項８乃至１１のいずれか１項に記載の表示制御装置。
【請求項１３】
前記制御手段は、一方の記録媒体から他方の記録媒体へとコピーする画像を選択するコピー画像の選択をする操作中である場合には、前記第二の領域において前記第二の操作がされたことに応じて前記第二の画像が表示された後、継続して前記第二の操作がされると前記第一の記録媒体に記録される画像のうち、前記第二の画像とは反対の端の画像を表示するように前記切替手段を制御することを特徴とする請求項１乃至６のいずれか１項に記載の表示制御装置。
【請求項１４】
前記制御手段は、前記第一の記録媒体に記録される画像を表示する場合と前記第二の記録媒体に記録される画像を表示する場合とで、前記操作バーの表示形態を変更することを特徴とする請求項３または４に記載の表示制御装置。
【請求項１５】
前記制御手段は、前記第一の記録媒体内には、第一のフォルダと第二のフォルダとが含まれており、前記第一のフォルダに記録されている第五の画像が表示されている際に開始された前記第二の操作に応じて、前記第二のフォルダに記録されている第六の画像へと切り替えるように制御することを特徴とする請求項１乃至１４のいずれか１項に記載の表示制御装置。
【請求項１６】
前記制御手段は、更に、前記表示部に表示される画像と、表示中の画像が記録されている記録媒体を示す表示とを表示することを特徴とする請求項１乃至１５のいずれか１項に記載の表示制御装置。
【請求項１７】
第一のフォルダと第二のフォルダを少なくとも含む第一の記録媒体に含まれる複数の画像と、第二の記録媒体に含まれる複数の画像とからなる複数の画像のうち表示部に表示する画像を切り替える切替手段と、
前記表示部へのタッチ操作を検出するタッチ検出手段と、
前記第一のフォルダにある第一の画像から第二の画像へと並んでおり、前記第二のフォルダにある第三の画像から第四の画像へと並んでおり、さらに前記第二の画像と前記第三の画像とが隣り合い、前記第四の画像と前記第二の記録媒体の第五の画像とが隣り合っており、前記第二の画像の前の画像が表示された状態で、前記表示部の所定領域においてタッチ位置を移動する所定の操作がされると、前記第二の画像が表示され、さらに続けて所定の操作がされると前記第二の画像から前記第三の画像へと切り替え、前記第四の画像の前の画像が表示された状態で、前記所定の操作がされると、前記第四の画像へと切り替え、さらに続けて前記所定の操作がされても前記第五の画像へと切り替えないように前記切替手段を制御する制御手段とを有することを特徴とする表示制御装置。
【請求項１８】
第一の記録媒体に記録される第一の画像から第二の画像までの複数の画像と、第二の記録媒体に記録される第三の画像から第四の画像までの複数の画像とからなる複数の画像のうち、表示部に表示する画像を切り替える切替手段を有する表示制御装置の制御方法であって、
タッチ検出手段が、前記表示部に対するタッチ操作を検出可能なタッチ検出工程と、
制御手段が、前記表示部の第一の領域における第一の方向へタッチ位置を移動する操作である第一の操作がされたことに応じて前記第二の画像が表示された後、前記第一の操作がされると、前記第三の画像へと切り替え、第二の領域において前記第一の方向へタッチ位置を移動する第二の操作がされたことに応じて前記第二の画像が表示された後、継続して前記第二の操作がされても前記第三の画像へとは切り替えないように前記切替手段を制御する制御工程とを有することを特徴とする表示制御装置の制御方法。
【請求項１９】
第一のフォルダと第二のフォルダを少なくとも含む第一の記録媒体に含まれる複数の画像と、第二の記録媒体に含まれる複数の画像とからなる複数の画像のうち表示部に表示する画像を切り替える切替手段を有する表示制御装置の制御方法であって、
タッチ検出手段が、前記表示部へのタッチ操作を検出するタッチ検出工程と、
制御手段が、前記第一のフォルダにある第一の画像から第二の画像へと並んでおり、前記第二のフォルダにある第三の画像から第四の画像へと並んでおり、さらに第二の画像と第三の画像とが隣り合い、第四の画像と前記第二の記録媒体の第五の画像とが隣り合っており、前記第二の画像の前の画像が表示された状態で、前記表示部の所定領域においてタッチ位置を移動する所定の操作がされると、前記第二の画像が表示され、さらに続けて所定の操作がされると前記第二の画像から前記第三の画像へと切り替え、前記第四の画像の前の画像が表示された状態で、前記所定の操作がされると、前記第四の画像へと切り替え、さらに続けて前記所定の操作がされても前記第五の画像へと切り替えないように前記切替手段を制御する制御工程とを有することを特徴とする表示制御装置の制御方法。
【請求項２０】
コンピュータを、請求項１から１６のいずれか１項に記載された表示制御装置の各手段として機能させるためのプログラム。
【請求項２１】
コンピュータを、請求項１から１６のいずれか１項に記載された表示制御装置の各手段として機能させるためのプログラムを格納したコンピュータが読み取り可能な記録媒体。
【発明の詳細な説明】
【技術分野】
【０００１】
本発明は、表示制御装置、その制御方法、プログラム及び記録媒体に関し、特に複数の記録媒体に記録された画像を表示する技術に関する。
【背景技術】
【０００２】
従来、複数の記録媒体にそれぞれ記録された画像の中から画像を選択して表示する電子機器が知られている。特許文献１には、複数の記録媒体から表示に用いる記録媒体を選択させ、選択された記録媒体に記録された画像を表示する技術が開示されている。また、操作量に応じた分、表示する画像を切り替える技術が知られている。特許文献２には、タッチパネルに対するタッチ位置の移動距離に応じた分、動画像の再生を進める技術が開示されている。
【先行技術文献】
【特許文献】
【０００３】
【特許文献１】特開２００７−２５１５９１号公報
【特許文献２】特開２０１３−１７５２１４号公報
【発明の概要】
【発明が解決しようとする課題】
【０００４】
特許文献２のタッチムーブの移動量に応じて動画像の再生を進める操作を、特許文献１のような複数の記録媒体の画像の表示に適用する場合、タッチムーブ量が増えると記録媒体をまたいで異なる画像に切り替わる可能性がある。想定していた記録媒体から意図せず他の記録媒体に移行してしまうと、例えば想定した記録媒体の中にあるはずの所望の画像を見つけるのが難しくなってしまう可能性がある。
【０００５】
本発明は、上述の問題点に鑑みてなされたものであり、複数の記録媒体に記録される複数の画像から表示する画像を切り替える際の操作性を向上させることを目的とする。
【課題を解決するための手段】
【０００６】
この課題を解決するため、例えば本発明の表示制御装置は以下の構成を備える。すなわち、第一の記録媒体に記録される第一の画像から第二の画像までの複数の画像と、第二の記録媒体に記録される第三の画像から第四の画像までの複数の画像とからなる複数の画像のうち、表示部に表示する画像を切り替える切替手段と、前記表示部に対するタッチ操作を検出可能なタッチ検出手段と、前記表示部の第一の領域における第一の方向へタッチ位置を移動する操作である第一の操作がされたことに応じて前記第二の画像が表示された後、前記第一の操作がされると、前記第三の画像へと切り替え、第二の領域において前記第一の方向へタッチ位置を移動する第二の操作がされたことに応じて前記第二の画像が表示された後、継続して前記第二の操作がされても前記第三の画像へとは切り替えないように前記切替手段を制御する制御手段とを有することを特徴とする。
【発明の効果】
【０００７】
本発明によれば、複数の記録媒体に記録される複数の画像から表示する画像を切り替える際の操作性を向上させることができる。
【図面の簡単な説明】
【０００８】
【図１】本発明の表示制御装置の一例としてのデジタルカメラの外観図
【図２】本実施形態に係るデジタルカメラの機能構成例を示すブロック図
【図３】本実施形態に係る画像送り処理の一連の動作を示すフローチャート
【図４】本実施形態に係るジャンプ送り処理の一連の動作を示すフローチャート
【図５】本実施形態に係る画像送り処理における操作及び表示例を説明する図
【図６】本実施形態に係るコピー画像選択時における操作及び表示例を説明する図
【図７】本実施形態に係る、記録方式に応じた処理における操作及び表示例を説明する図
【図８】本実施形態に係る操作バーの表示態様について説明する図
【発明を実施するための形態】
【０００９】
（デジタルカメラ１００の外観構成例）
図１（ａ）、（ｂ）を参照して、本発明を適用可能な表示制御装置の一実施形態としてのデジタルカメラの外観構成例について説明する。図１（ａ）はデジタルカメラ１００の前面斜視図であり、図１（ｂ）はデジタルカメラ１００の背面斜視図である。
【００１０】
表示部２８は画像や各種情報を表示する表示部である。シャッターボタン６１は撮影指示を行うための操作部材である。モード切替スイッチ６０は各種モードを切り替えるための操作部材である。コネクタ４０は（記録媒体を含む）外部機器をデジタルカメラ１００と接続する接続部材であり、端子カバー内に配置される。
【００１１】
メイン電子ダイヤル７１は回転操作部材であり、このメイン電子ダイヤル７１を回すことで、シャッター速度や絞りなどの設定値の変更等を行うことができる。電源スイッチ７２はデジタルカメラ１００の電源のＯＮ及びＯＦＦを切り替える操作部材である。サブ電子ダイヤル７３は選択枠の移動や画像送りなどを行う回転操作部材である。
【００１２】
十字キー７４は上、下、左、右部分をそれぞれ押し込み可能な４方向キーである。十字キー７４の押された部分に応じた操作が可能である。ＳＥＴボタン７５は、主に選択項目の決定などに用いられる押しボタンである。ＬＶボタン７８は、メニューボタンにおいてライブビュー（以下、ＬＶ）のＯＮとＯＦＦを切り替えるボタンである。動画撮影モードにおいては、動画撮影（記録）の開始、停止の指示に用いられる。再生ボタン７９は、撮影モードと再生モードとを切り替える操作ボタンである。撮影モード中に再生ボタン７９を押下することで再生モードに移行し、記録媒体２００に記録された画像のうち最新の画像を表示部２８に表示させることができる。シャッターボタン６１、メイン電子ダイヤル７１、電源スイッチ７２、サブ電子ダイヤル７３、十字キー７４、ＳＥＴボタン７５、ＬＶボタン７８、再生ボタン７９及びタッチパネル７０ａは、操作部７０に含まれる。
【００１３】
スロット７７は、後述する第１記録媒体２００ａと第２記録媒体２００ｂをそれぞれが格納する格納するスロット７７ａ及びスロット７７ｂを含み、蓋の内部に配置される。グリップ部９０は、ユーザがデジタルカメラ１００を構えた際に右手で握りやすい形状とした保持部である。レンズユニット１５０は、着脱可能に構成される撮影レンズである。
【００１４】
（デジタルカメラ１００の機能構成例）
次に、図２を参照して、本実施形態によるデジタルカメラ１００の機能構成例を説明する。レンズユニット１５０は、交換可能な撮影レンズ（撮影光学系）を搭載するレンズユニットである。レンズユニット１５０は、システム制御部５０と通信し、システム制御部５０の指示に応じて絞り１０２の口径やレンズ１０３の位置を制御する。システム制御部５０は、例えば、後述する撮像部２２の撮像面で検出されたデフォーカス量に基づいてレンズユニット１５０の進退を制御して像面位相差ＡＦを実現することができる。レンズ１０３は通常、複数枚のレンズから構成されるが、ここでは簡略して一枚のレンズのみで示している。フォーカルプレーンシャッター１０１は、システム制御部５０の制御により撮像部２２の露光時間を制御するためのものである。
【００１５】
撮像部２２は、光学像を電気信号に変換する撮像素子を含む。撮像素子は、一般的にＣＣＤやＣＭＯＳ等であってよく、レンズユニット１５０を通して撮像素子に結像された被写体像を光電変換して電気信号として出力する。Ａ／Ｄ変換器２３は、撮像部２２から出力されるアナログ信号をアナログ・デジタル変換してデジタル信号（画像データ）を出力する。
【００１６】
画像処理部２４は、Ａ／Ｄ変換器２３から出力された画像データ、又は、メモリ制御部１５から入力した画像データに対し所定の画素補間、縮小等のリサイズ処理、色変換処理、フィルター処理、ガンマー／ニー処理等を行う。また、画像処理部２４では、撮像した画像データを用いて所定の演算処理が行われ、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理も行っている。
【００１７】
メモリ制御部１５は、画像処理部２４から入力された画像データをメモリ３２に格納する。また、逆にメモリ３２から画像データを取り込んで画像処理部２４に出力したりもする。また、メモリ制御部１５は、Ｉ／Ｆ１８を介して送られてくる画像データをメモリ３２に格納したり、逆にメモリ３２に格納されている画像データをＩ／Ｆ１８を介して記録媒体２００ａ或いは記録媒体２００ｂに出力することもできる。
【００１８】
Ｉ／Ｆ１８は、スロット７７に着脱可能に挿入される記録媒体２００ａ、記録媒体２００ｂとのインターフェースを含むほか、ＵＳＢ、ＩＥＥＥ、ＨＤＭＩ（登録商標）等のインターフェースを含む。システム制御部５０は、Ｉ／Ｆ１８を介して、設定された画像記録方式に応じて、記録する記録媒体を使い分けることができる。画像記録方式には、順次記録、バックアップ記録、ＲＡＷ／ＪＰＥＧ記録、記録サイズ振り分け記録、静止画・動画振り分け記録があり、ユーザがメニュー画面から選択できる。順次記録とは、第１記録媒体から画像記録を行い、第１記録媒体の空き容量が無くなった場合に、第２記録媒体へ画像記録を切り替える画像記録方式である。バックアップ記録とは、第１、第２記録媒体の両方へ同一の画像記録を行う方式である。ＲＡＷ／ＪＰＥＧ記録とは、撮像部２２から出力された画像を、ＲＡＷ形式で第１記録媒体に画像記録を行うとともに、ＪＰＥＧ形式で第２記録媒体に画像記録を行う方式である。記録サイズ振り分け記録とは、第１記録媒体には第１の記録サイズで画像記録を行い、第２記録媒体には第２の記録サイズで画像記録を行う方式である。なお、第１、第２の記録サイズは、ユーザがメニュー画面から選択できる。また、静止画・動画振り分け記録とは、静止画を第１記録媒体へ記録し、動画を第２記録媒体へ記録する方式である。第１、第２記録媒体に静止画または動画のいずれを記録させるかは、ユーザがメニュー画面から選択できる。
【００１９】
Ａ／Ｄ変換器２３からの出力データは、画像処理部２４及びメモリ制御部１５を介して、或いは、メモリ制御部１５を介してメモリ３２に直接書き込まれる。メモリ３２は、例えば半導体メモリ等であり、撮像部２２によって得られＡ／Ｄ変換器２３によりデジタルデータに変換された画像データや、表示部２８に表示するための画像データを格納する。メモリ３２は、所定枚数の静止画像や所定時間の動画像および音声を格納するのに十分な記憶容量を備えている。また、メモリ３２は画像表示用のメモリ（ビデオメモリ）を兼ねている。
【００２０】
Ｄ／Ａ変換器１９は、メモリ３２に格納されている画像表示用のデータをアナログ信号に変換して表示部２８に供給する。こうして、メモリ３２に書き込まれた表示用の画像データはＤ／Ａ変換器１９を介して表示部２８により表示される。
【００２１】
表示部２８は、例えばＬＣＤやＯＬＥＤ等からなる表示器上に、Ｄ／Ａ変換器１９からのアナログ信号に応じた表示を行う。Ｄ／Ａ変換器１９は、Ａ／Ｄ変換器２３によって一度Ａ／Ｄ変換されてメモリ３２に蓄積されたデジタル信号をアナログ変換し、表示部２８に逐次転送する。表示部２８はこのアナログ画像信号を表示することで、電子ビューファインダとして機能し、スルー画像表示（ライブビュー表示）を実現する。
【００２２】
不揮発性メモリ５６は、システム制御部５０によって電気的に消去・記録可能なメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのプログラムのことである。
【００２３】
システム制御部５０は、ＣＰＵ等の少なくとも１つのプロセッサを内蔵し、デジタルカメラ１００全体を制御する。システム制御部５０は、不揮発性メモリ５６に記録されたプログラムをシステムメモリ５２に展開し、実行することで、後述する本実施形態の各処理を実現する。システムメモリ５２は、例えばＲＡＭであり、システム制御部５０の動作用の定数、変数、不揮発性メモリ５６から読み出したプログラム等が展開される。また、システム制御部は、Ｉ／Ｆ１８、メモリ３２、Ｄ／Ａ変換器１９及び表示部２８等を制御することにより表示制御も行う。システムタイマー５３は各種制御に用いる時間や、内蔵された時計の時間を計測する計時部である。
【００２４】
モード切替スイッチ６０、シャッターボタン６１、操作部７０はシステム制御部５０に各種の動作指示を入力するための操作手段である。モード切替スイッチ６０は、システム制御部５０の動作モードを静止画記録モード、動画撮影モード、再生モード等のいずれかに切り替える。静止画記録モードに含まれるモードとして、オート撮影モード、オートシーン判別モード、マニュアルモード、絞り優先モード（Ａｖモード）、シャッター速度優先モード（Ｔｖモード）がある。また、撮影シーン別の撮影設定となる各種シーンモード、プログラムＡＥモード、カスタムモード等がある。モード切替スイッチ６０で、メニュー画面に含まれるこれらのモードのいずれかに直接切り替えられる。あるいは、モード切替スイッチ６０でメニュー画面に一旦切り換えた後に、メニュー画面に含まれるこれらのモードのいずれかに、他の操作部材を用いて切り替えるようにしてもよい。同様に、動画撮影モードにも複数のモードが含まれていてもよい。
【００２５】
第１シャッタースイッチ６２は、デジタルカメラ１００に設けられたシャッターボタン６１の操作途中、いわゆる半押し（撮影準備指示）でＯＮとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００２６】
第２シャッタースイッチ６４は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２により、撮像部２２からの信号読み出しから記録媒体２００に画像データを書き込むまでの一連の撮影処理の動作を開始する。
【００２７】
操作部７０の各操作部材は、表示部２８に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面が表示部２８に表示される。利用者は、表示部２８に表示されたメニュー画面と、上下左右の４方向ボタンやＳＥＴボタンとを用いて直感的に各種設定を行うことができる。このように、操作部７０は、ユーザからの操作を受け付ける入力部として機能する。
【００２８】
なお、操作部７０の一つとして、表示部２８に対する接触を検出可能なタッチパネル７０ａ（タッチ検出手段）を有する。タッチパネル７０ａと表示部２８とは一体的に構成することができる。例えば、タッチパネル７０ａを光の透過率が表示部２８の表示を妨げないように構成し、表示部２８の表示面の上層に取り付ける。そして、タッチパネルにおける入力座標と、表示部２８上の表示座標とを対応付ける。これにより、恰もユーザが表示部２８上に表示された画面を直接的に操作可能であるかのようなＧＵＩ（グラフィカルユーザーインターフェース）を構成することができる。システム制御部５０はタッチパネル７０ａへの以下の操作、あるいは状態を検出できる。
・タッチパネルにタッチしていなかった指やペンが新たにタッチパネルにタッチしたこと。すなわち、タッチの開始（以下、タッチダウン（Touch-Down）と称する）。
・タッチパネルを指やペンでタッチしている状態であること（以下、タッチオン（Touch-On）と称する）。
・タッチパネルを指やペンでタッチしたまま移動していること（以下、タッチムーブ（Touch-Move）と称する）。
・タッチパネルへタッチしていた指やペンを離したこと。すなわち、タッチの終了（以下、タッチアップ（Touch-Up）と称する）。
・タッチパネルに何もタッチしていない状態（以下、タッチオフ（Touch-Off）と称する）。
【００２９】
タッチダウンが検出されると、同時にタッチオンであることも検出される。タッチダウンの後、タッチアップが検出されない限りは、通常はタッチオンが検出され続ける。タッチムーブが検出されるのもタッチオンが検出されている状態である。タッチオンが検出されていても、タッチ位置が移動していなければタッチムーブは検出されない。タッチしていた全ての指やペンがタッチアップしたことが検出された後は、タッチオフとなる。
【００３０】
これらの操作・状態や、タッチパネル上に指やペンがタッチしている位置座標は内部バスを通じてシステム制御部５０に通知され、システム制御部５０は通知された情報に基づいてタッチパネル上にどのような操作が行なわれたかを判定する。タッチムーブについてはタッチパネル上で移動する指やペンの移動方向についても、位置座標の変化に基づいて、タッチパネル上の垂直成分・水平成分毎に判定できる。またタッチパネル上をタッチダウンから一定のタッチムーブを経てタッチアップをしたとき、ストロークを描いたこととする。素早くストロークを描く操作をフリックと呼ぶ。フリックは、タッチパネル上に指をタッチしたままある程度の距離だけ素早く動かして、そのまま離すといった操作であり、言い換えればタッチパネル上を指ではじくように素早くなぞる操作である。所定距離以上を、所定速度以上でタッチムーブしたことが検出され、そのままタッチアップが検出されるとフリックが行なわれたと判定できる。また、所定距離以上を、所定速度未満でタッチムーブしたことが検出された場合はドラッグが行なわれたと判定するものとする。
【００３１】
タッチパネルは、抵抗膜方式や静電容量方式、表面弾性波方式、赤外線方式、電磁誘導方式、画像認識方式、光センサ方式等、様々な方式のタッチパネルのうちいずれの方式のものを用いても良い。方式によって、タッチパネルに対する接触があったことでタッチがあったと検出する方式や、タッチパネルに対する指やペンの接近があったことでタッチがあったと検出する方式ものがあるが、いずれの方式でもよい。
【００３２】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。
【００３３】
電源部３０は、アルカリ電池やリチウム電池等の一次電池やＮｉＣｄ電池やＮｉＭＨ電池、Ｌｉ電池等の二次電池、ＡＣアダプター等からなる。記録媒体２００は、記録媒体２００ａと記録媒体２００ｂとを有し、それぞれは、撮影された画像を記録するためのメモリカード等の記録媒体であり、半導体メモリ等から構成される。
【００３４】
通信部５４は、無線または有線ケーブルによって例えば外部ストレージと接続し、画像データ、映像データ、音声データ等を送受信することができる。通信部５４は無線ＬＡＮ（Local Area Network）やインターネットとも接続可能である。例えば、通信部５４は撮像部２２で撮像した画像（スルー画像を含む）や、記録媒体２００に記録された画像を送信可能であり、また、画像データやその他の各種情報を受信する。
【００３５】
姿勢検知部５５は重力方向に対するデジタルカメラ１００の姿勢を検知する。姿勢検知部５５で検知された姿勢に基づいて、撮像部２２で撮影された画像が、デジタルカメラ１００を横に構えて撮影された画像であるか、縦に構えて撮影された画像なのかを判別可能である。システム制御部５０は、姿勢検知部５５で検知された姿勢に応じた向き情報を撮像部２２で撮像された画像の画像ファイルに付加したり、画像を回転して記録することが可能である。姿勢検知部５５としては、加速度センサやジャイロセンサーなどを用いることができる。
【００３６】
次に、本実施形態における画像送り処理について、図３〜図５を参照して説明する。本実施形態に係る画像送り処理は、所定の領域におけるタッチムーブ操作によって連続的に再生画像を送る際に、表示する画像が別の記録媒体に記録されている場合には画像送りを一度停止するように動作する。
【００３７】
（画像送り処理に係る一連の動作）
まず、図３及び図５を参照しながら、タッチ操作による画像送り処理に係る一連の動作の概要を説明する。なお、本処理は、システム制御部５０が、不揮発性メモリ５６に記録されたプログラムをシステムメモリ５２に展開して実行することにより実現する。なお、スロット７７ａには第１記録媒体２００ａが、スロット７７ｂには第２記録媒体２００ｂが挿入されている。また、図５（ａ）に示すように、第１記録媒体には、動画ファイルＡと動画ファイルＢとが記録されている。なお、これらの動画ファイル内のフレーム（記録画像としてみてよい）について、動画ファイルＡの最初のフレームを１、最後のフレームをＫ、動画ファイルＢの最初のフレームをＫ＋１、最後のフレームをＮとして識別する。また、図５（ｂ）に示す第２記録媒体には、動画ファイルＣと動画ファイルＤとが記録されており、動画ファイルＣの先頭をＮ＋１、動画ファイルＤの最後のフレームをＮ＋Ｍとして識別する。なお、この例では、両方の記録媒体に動画が記録されているものとするが、第１の記録媒体に動画が記録され、第２の記録媒体に静止画が記録される場合にも以下の処理を適用してもよい。
【００３８】
また、タッチ操作は、図５（ｃ）に示すように、再生された画像の下部に表示され、画像送りを制御するための操作バー（スライダーバーともいう）に対して行われる。ユーザがタッチムーブによってスライダを長手方向に移動させる。以下の説明では、画面上のユーザの接触位置について、表示領域上（タッチ可能な領域と等しい）の左上を原点として、右方向にＸ軸、下方向にＹ軸をとるものとする（（図５（ｃ）参照））。また、スライダーバーは、ｙ軸上のｙ＞Ｙｃの位置に表示されるものとする。また、本処理の開始前は、スライダーバーは表示されていない。
【００３９】
Ｓ３０１では、システム制御部５０は、タッチオンが検出されたかどうかを判定する。システム制御部５０は、タッチオンが検出された（以下、検出された位置を（ｘ０、ｙ０）とする）場合は、Ｓ３０２へ進む。そうでない場合にはＳ３２０に進む。
【００４０】
Ｓ３０２では、システム制御部５０は、検出されたタッチオンが所定領域へのタッチオンであるかを判定する。例えば、システム制御部５０は、タッチオンが検出された位置ｙ０がＹｃより大きいか（ｙ０＞Ｙｃ）を判定し、ユーザがスライダーバーの表示領域にタッチオンしたかを判定する。システム制御部５０は、所定領域にタッチオンされたと判定した場合、Ｓ３０３において、スライダーバーを表示する。すなわち、図５（ｃ）に示す状態となる。
【００４１】
Ｓ３０４では、システム制御部５０は、タッチムーブを検出したかを判定する。システム制御部５０は、タッチムーブが検出された場合、Ｓ３０５に処理を進める。このとき、システム制御部５０は、併せてタッチムーブの方向を判定し、判定した方向を例えばシステムメモリ５２等の保持しておく。一方、タッチムーブを検出しなかった場合には、処理をＳ３０６に進める。
【００４２】
Ｓ３０５では、システム制御部５０は、図４を参照して後述するジャンプ送り処理を行う。このジャンプ送り処理により、タッチムーブの移動距離（例えば距離Ｌ）に応じて、表示画面が図５（ｃ）から図５（ｄ）に切り替わる。但し、ジャンプ送り処理において、読み出す画像が第１記録媒体から第２記録媒体に跨ぐような場合、（距離Ｌの時点から）更なるタッチムーブがあっても画像が切り替わらず、図５（ｅ）に示すように表示されるフレームがＮのまま維持される。なお、図５（ｅ）に示す状態において、もう一度タッチオンがなされると、図５（ｇ）に示すように、第２記録媒体に記録されたファイルＣの画像Ｎ＋１が表示される。具体的なジャンプ送り処理については後述する。システム制御部５０は、ジャンプ送り処理を完了すると処理を再びＳ３０１に戻す。
【００４３】
Ｓ３０６では、システム制御部５０は、タッチアップを検出したかを判定する。タッチアップを検出しなかった場合、処理をＳ３０４に戻し、タッチアップを検出した場合、処理をＳ３０７に進める。Ｓ３０７では、システム制御部５０は、スライダーバーを非表示にする。この場合、例えば図５（ｆ）に示す状態となる。
【００４４】
一方、Ｓ３０２において検出されたタッチオンが所定領域に対するものでないと判定された場合、Ｓ３１０において、システム制御部５０は、タッチアップがあったかを判定する。タッチアップがあった場合、処理をＳ３１１に進め、そうでない場合処理を再びＳ３１０に戻す。
【００４５】
Ｓ３１１において、システム制御部５０は、タッチアップされるまでのタッチムーブ量が所定値（Ｌ１）以上であるかを判定する。これは、図５（ｈ）に示すように、タッチアップ時におけるタッチムーブ量Ｌが所定値Ｌ１以上であれば、表示中の画像の前または後の画像へと切り替える。Ｌ１未満であれば画像の切り替えは行わない。システム制御部５０は、所定値Ｌ１以上のタッチムーブがなされたと判定した場合、処理をＳ３１２に進め、そうでない場合には、処理をＳ３０１に戻す。
【００４６】
一方、Ｓ３２０では、システム制御部５０は、（タッチ操作ではなく）左右キーが操作されたかを判定し、左右キーが操作された場合、処理をＳ３１２に進め、そうでない場合にはＳ３２１に処理を進める。Ｓ３２１では、システム制御部５０は、終了操作がなされたかを判定し、終了操作がなされた場合、本処理に係る一連の動作を終了する。一方、終了操作がなされていない場合、処理を再びＳ３０１に戻す。
【００４７】
Ｓ３１２では、システム制御部５０は、タッチムーブ方向或いは左右キー操作の方向に応じて一枚分の画像送りを行って、次の画像を表示する。例えば、システム制御部５０は、Ｓ３０４において保持した操作の方向を参照し、操作者から見てタッチパネル７０ａの左から右へのムーブ（或いは方向キー入力）があった場合、現在表示画像から順方向へ画像が１枚送られる。また、タッチムーブ方向が操作者から見てタッチパネル７０ａの右から左へのムーブ（或いは方向キー入力）があった場合、現在表示画像から逆方向へ画像が１枚送られる。例えば、図５（ｈ）及び図５（ｉ）に示すように、フレームＮの画像が表示されている場合、画像が一枚送られる。１枚画像送りの場合には、表示中の画像が記録媒体の最後または最初の画像であっても（１回目の）距離Ｌ１以上のタッチムーブ操作がされたら異なる記録媒体の画像へと切り替える。１枚画像送りの場合には、１回の操作で切り替わる画像の枚数は１枚であり、ジャンプ送りのように、１回の操作で意図せず大幅に画像が切り替わることがない。よって、記録媒体をまたぐ画像の切り替えだからといって、タッチムーブ操作で画像が切り替わらないと却って操作性が低下する。また、１枚画像送りの場合にはユーザが表示中の画像が記録媒体の最初または最後の画像であること、もしくは表示画像の記録媒体が切り替わったことを認識できている可能性が高い。
【００４８】
（ジャンプ送り処理に係る一連の動作）
図４を参照しながら、ジャンプ送り処理に係る一連の動作を説明する。なお、本処理は、上述した画像送り処理のＳ３０５に対応する。
【００４９】
Ｓ４０１では、システム制御部５０は、タッチムーブ量Ｌを取得し、処理をＳ４０２に進める。なお、Ｓ４０１ではタッチムーブ中のタッチムーブ量を取得するのであって、１枚画像送りのようにタッチアップ後にタッチの開始からタッチが離されるまでのタッチムーブ量を取得するのではない。Ｓ４０２では、システム制御部５０は、取得したタッチムーブ量Ｌが所定値（Ｌ２）以上であるかを判定する。なお、所定値Ｌ２は上述したＬ１より小さい値である。システム制御部５０は、タッチムーブ量が所定値Ｌ２より大きい場合、処理をＳ４０３に進め、そうでない場合、処理をＳ４１３に進める。
【００５０】
Ｓ４０３では、システム制御部５０は、次に表示する画像（すなわち前後の画像）が異なる記録媒体に記録されているかを判定する。具体的に、システム制御部５０は、まず次に表示する画像を決定する。タッチムーブ方向がタッチパネル７０ａの左から右へのムーブでは、現在表示画像から順方向の隣接する画像を次に表示する画像と決定する。また、タッチムーブ方向がタッチパネル７０ａの右から左へのムーブの場合、現在表示画像から逆方向の隣接する画像を次に表示する画像と決定する。そして、次に表示する画像を記録した記録媒体と現在表示画像が記録された記録媒体とが異なるかを判定し、記録媒体が異なる場合には、Ｓ４０４に処理を進め、そうでない場合にはＳ４１２に処理を進める。なお、画像の記録される区切りとして、記録媒体のほかにファイルがあるが、ファイルの切り替わりの場合にはＳ４０３の判定はＮｏとする。
【００５１】
Ｓ４０４において、システム制御部５０は、画像切替フラグがＯＮであるかを判定する。画像切替フラグは、ＯＮである場合には現在表示画像を維持せずに画像送りを行い、ＯＦＦの場合には現在表示画像を維持することを示すフラグである。システム制御部５０は、画像切替フラグがＯＮである場合には処理をＳ４１２に進め、そうでない場合には処理をＳ４０５に進める。
【００５２】
Ｓ４０５では、システム制御部５０は、動画と静止画の記録されている記録媒体が異なるように、画像記録方式が設定されているかを判定する。設定により静止画・動画振り分け方式が設定されている場合、処理をＳ４０９に進め、そうでない場合には処理をＳ４０６に進める。画像記録方式が設定されている場合の操作態様については後述する。ユーザは２つの記録媒体の記録形式をメニュー画面において設定可能である。例えば、上述の静止画と動画をそれぞれ異なる記録媒体に記録する設定や、１つ目の記録媒体への記録が完了（メモリがいっぱいになった）後、自動的に２つ目の記録媒体へと記録を行う順次記録の設定をメニュー画面において行うことができる。
【００５３】
Ｓ４０６では、システム制御部５０は、コピー画像選択中かを判定する。すなわち、操作中の画像送りが、コピー画像選択画面におけるものかを判定する。なお、コピー画像選択画面は、表示中の画像の記録されている記録媒体から他の記録媒体へとコピーする画像を選択する画面であり、タッチムーブ操作によって連続的に画像を送ってコピーする画像を素早く探し出す。また、同一記録媒体又は異なる記録媒体に画像をコピーすることができる。
【００５４】
例えば、図６（ａ）〜図６（ｃ）は、コピー画像選択時の操作例を示している。図６（ａ）は、コピー画像選択画面において、第１記録媒体２００ａ内の先頭画像（フレーム１）が表示されているときに、タッチパネル７０ａの左から右へタッチムーブ操作を行っている状態を示している。このとき、例えば、コピー画像選択画面であることを示すアイコン６０１、表示画像をコピー画像として選択したことを示すチェックボックス６０２、ＳＥＴボタン押下により表示画像をコピー画像として選択できることを示すアイコン６０３が表示される。更に、図６（ｂ）は、タッチパネル７０ａの左から右へタッチムーブ操作が行われ、第１記録媒体２００ａ内の最終画像（フレームＮ）が表示された場合を示している。この場合、継続してタッチパネル７０ａの左から右へタッチムーブ操作を行うと、第２記録媒体２００ｂ内の画像は表示されずに第１記録媒体２００ａの最初の画像を表示する（この状態は後述するＳ４０８に相当する）。すなわち、図７（ａ）及び（ｂ）に示すタッチムーブ操作を行うと、同じ記録媒体内でフレーム１〜Ｎの画像が循環して表示される。一方、図６（ｃ）は、第１記録媒体２００ａ内の最終画像（フレームＮ）が表示されているときに、一度タッチアップして、再度タッチパネル７０ａの左から右へタッチムーブ操作が行われた状態を示している。この場合、システム制御部５０は、第２記録媒体２００ｂ内の画像（フレームＮ＋１）を表示する。
【００５５】
なお、Ｓ４０６は画像記録方式が同じ画像を２つの記録媒体に記録するバックアップ記録、一方にＲＡＷ画像、他方にＪＰＥＧ画像を記録するＲＡＷ／ＪＰＥＧ記録、記録サイズごとに記録媒体を分ける振り分け記録であるかにより判定してもよい。これらの場合には、同じ画像（同じ画像の対応データがそれぞれ記録される）がそれぞれの記録媒体に記録されるため、２つの記録媒体をまたぐと、記録画像のうちどのあたりの順番の画像を探していたのか分からなくなってしまう。例えば、記録画像の最初の方の順番の画像から所望の画像を探していたはずなのに、（記録媒体が切り替わり）気付いたら後の方の順番の画像が表示されていると、ユーザが混乱してしまう可能性がある。このため、記録媒体をまたいで表示をしないようにすることでユーザは所望の画像を探しやすくなる。また、端の画像を表示したままとするので、端（の順番の画像）に達したことを認識することができる。
【００５６】
このようなコピー画像選択画面における動作を実現するため、本ステップにおいてシステム制御部５０は、操作中の画像送りがコピー画像選択画面におけるものである場合、処理をＳ４０７に進め、それ以外の場合にはＳ４０９に処理を進める。
【００５７】
Ｓ４０７において、システム制御部５０は、順次記録方式が設定されているかを判定する。画像記録方式が順次記録方式に設定されている場合の画像送りの例について、図７（ａ）〜図７（ｄ）を参照して説明する。図７（ａ）は、第１記録媒体２００ａ内の先頭画像（フレーム１）が表示されているときに、タッチパネル７０ａの左から右へタッチムーブ操作が行われた状態を示している。
【００５８】
図７（ｂ）は、第１記録媒体２００ａ内の最終画像（フレームＮ）が表示されている際に、タッチパネル７０ａの左から右へタッチムーブ操作が行われた例を示している。すなわち、図７（ｃ）に示すように再び第１記録媒体２００ａ内の先頭画像（フレーム１）を表示するのではなく、第１記録媒体２００ａの最終画像（フレームＮ）の表示を継続する（この動作は後述するＳ４０９に相当）。なお、もう一方の記録媒体の画像を表示するには、マルチ再生表示をしてもう一方の画像を選択してもよいし、表示する画像の記録媒体を変更するためのアイテムを表示してもよい。
【００５９】
さらに、第１記録媒体２００ａ内の最終画像（フレームＮ）が表示されている際に、一度タッチアップして、再度タッチパネル７０ａの左から右へタッチムーブ操作を行うと、図７（ｄ）に示すように、第２記録媒体２００ｂの画像が表示される。
【００６０】
本ステップにおいて、システム制御部５０は、順次記録方式が設定されている場合、処理をＳ４０９に進め、そうでない場合、処理をＳ４０８に進める。なお、Ｓ４０５〜Ｓ４０７の判定は、０以上のいずれかでもよく、任意の組み合わせであってもよい。また、Ｓ４０５における処理では、動画と静止画で異なる記録媒体に記録する場合に（Ｓ４０９ではなく）Ｓ４０８に進むようにしてもよい。更に、記録媒体２００ａと記録媒体２００ｂに記録されている画像の枚数の合計が所定枚数以下である場合にはこれらのステップを実行しないようにしてもよい。このとき、表示画像を読み出している記録媒体の識別を表示してもよい。
【００６１】
Ｓ４０８では、同一の記録媒体内の反対の端となる画像を表示する。すなわち、システム制御部５０は、同一の記録媒体内で画像を循環表示させる。システム制御部５０は、画像を表示させると処理をＳ４１３に進める。同じ記録媒体内で表示画像を循環する場合には、継続的なタッチムーブ操作よって画像を切り替えることができる。
【００６２】
Ｓ４０９では、記録媒体内の端の画像について、表示を維持する。すなわち、タッチムーブがなされても、表示画像の変更を一旦停止する。このとき、ユーザに、タッチムーブをしても画像の切り替えがされないことを示すために、操作バーの色を変えてもよい。バーの表示形態を変える以外にも、ガイドを出したり、画面全体の色を変えたり、表示部の（画像を変えること以外の）表示形態を変えるようにしてもよい。これにより、バー上のタッチムーブ操作は受け付けられているが、画像の切り替えはされないことを示すことができる。その後、Ｓ４１０において、タッチアップ操作があったかを判定し、タッチアップ操作が行われた場合には処理をＳ４１１に進め、そうでない場合には処理を再びＳ４０１に戻す。
【００６３】
Ｓ４１１では、システム制御部５０は、画像切替フラグをＯＮにして（すなわちタッチアップ後であるため次のタッチムーブ操作で表示画像を切り替えるようにフラグを設定して）上述したＳ３０５に処理を戻す。
【００６４】
Ｓ４１２では、システム制御部５０は、現在表示画像から異なる記録媒体内の画像に表示を切り替える。なお、異なる記録媒体の先頭（最後）の画像へと切り替わった後は、さらにタッチムーブ操作が継続されても、同じタッチ操作ではこれ以上は画像を切り替えないようにしてもよい。これにより、ユーザは記録媒体が切り替わったことを認識することができる。更に、Ｓ４１３では、システム制御部５０は、タッチアップ操作が行われたかを判定する。タッチアップ操作が行われていないと判定した場合、処理をＳ４０１に進め、そうでない場合には処理をＳ４１４に進める。
【００６５】
Ｓ４１４では、システム制御部５０は、画像切替フラグをＯＦＦにして処理を本処理に係る一連の動作を終了する。
【００６６】
なお、上述の説明では、スライダーバーに対するタッチムーブ操作を例に説明したが、スライダーバーに対する操作に限らず、タッチムーブ操作を行ってサムネイル列の画像を移動させて現在表示画像を切り替える場合にも適用可能である。例えば、サムネイル列の中央にあるサムネイル画像を選択して画像送りを行う際に、中央の画像が所定の記録媒体の最初／最終画像になった場合、タッチアップがあるまで現在表示画像を維持し、異なる記録媒体内に記録された画像を表示しないようにする。
【００６７】
また、上述の説明は、スロット７７に着脱可能に挿入された記録媒体を例に説明したが、通信部５４を介して有線、無線で接続される外部ストレージを含む場合に適用してもよい。
【００６８】
以上説明したように本実施形態では、タッチ操作による再生画像送りにおいて、タッチムーブ操作によって連続的に再生画像を送るときに、次に表示する画像が異なる記録媒体に記録されている場合は、画像送りを一度停止するようにした。そして、タッチアップ操作がなされた上で更にタッチムーブ操作によって再生画像を送る場合には、異なる記録媒体に格納された画像を表示するようにした。このようにすることで、意図せず記録媒体をまたいで画像が表示されることがない。ユーザが第１の記録媒体において所望の画像を探している際に、ジャンプ送りで第２の記録媒体の画像が表示されてしまい、記録媒体が切り替わったことにユーザが気付かないまま画像を探し続けるとなかなか所望の画像へとたどり着くことができない。ユーザが所望の画像が現在の記録媒体にはないのか、見過ごしてしまったのかわからず何度も記録媒体を言ったり来たりしなければならなくなるが、記録媒体の切り替わりを認識できれば、ユーザは１つの記録媒体内において画像を探しやすくなる。また、表示画像を順次切り替えて所望の画像を表示させる過程で画像の記録された記録媒体の切り替わりを容易に知覚することができ、画像送り操作における操作性を向上させることができる。
【００６９】
なお、上述の実施形態では、ジャンプ操作において記録媒体をまたぐ場合には、タッチムーブを継続しても異なる記録媒体の画像へと切り替えないことを説明したが、再生設定によって切り替え可能にしてもよい。メニュー画面において再生する画像の対象が、フォルダの設定が全て、デジタルカメラ１００で撮影されたフォルダのみ、記録中のフォルダのみのいずれかから選択可能である場合には以下のようにしてもよい。フォルダのすべて、デジタルカメラ１００で撮影さえたフォルダのみの場合には、そもそもユーザが２つの記録媒体のうち再生するフォルダを指定して画像を探そうとしているので、ジャンプ送りの際に記録媒体をまたぐ場合であっても、画像を切り替える。そして、記録中のフォルダのみの場合には、ユーザは指定したフォルダのみを見ているので記録媒体をまたいでジャンプ送りしないようにする。
【００７０】
（変形例）
更に、図８（ａ）〜図８（ｃ）を参照して、上述した画像送りにおいて、現在表示画像が記録されている記録媒体に応じて、画像送り時の表示態様を変更する例について説明する。なお、第１記録媒体２００ａ及び第２記録媒体２００ｂに記録されている画像は図５（ａ）に説明したものと同一である。
【００７１】
図８（ａ）は、第１記録媒体２００ａ内の先頭画像（フレーム１）が表示されている際に、タッチパネル７０ａの左から右へタッチムーブ操作を行っている状態を示している。このとき、システム制御部５０は、スライダーバーの表示形態にガイド表示８０１を付し、当該ガイド表示の色を第１の色として表示する。
【００７２】
図８（ｂ）は、ユーザがタッチムーブ操作を行って、第１記録媒体２００ａ内の最終画像（フレームＮ）を表示する場合を示している。このとき、ガイド表示８０１は第１の色で表示される。
【００７３】
図８（ｃ）は、その後の所定の操作によって、第２記録媒体２００ｂ内の画像が表示されている状態を示している。このとき、システム制御部５０は、ガイド表示８０２を（第１の色と異なる）第２の色で表示し、異なる記録媒体に記録された画像を表示していることを示す。
【００７４】
なお、本変形例の説明では、ガイド表示８０１を付してその色を変化させる例を示したが、表示態様はこれに限らない。ガイド表示８０１を表示せずに、スライダーバーの色やデザインを変化させてもよいし、アイコンを表示してその表示態様を異ならせてもよい。
【００７５】
このように、現在表示画像の記録されている記録媒体に応じて、画像送り時の表示態様を異ならせるようにすることで、画像が記録される記録媒体の変化を直感的に把握することができる。すなわち、表示画像を順次切り替えて所望の画像を表示させる過程で画像の記録された記録媒体の切り替わりを容易に知覚することができる。
【００７６】
なお、システム制御部５０が行うものとして説明した上述の各種の制御は１つのハードウェアが行ってもよいし、複数のハードウェアが処理を分担することで、装置全体の制御を行ってもよい。
【００７７】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００７８】
また、上述した実施形態においては、本発明を表示制御装置に適用した場合を例にして説明したが、これはこの例に限定されず、タッチ操作によって画像表示指示を行うことができる表示制御装置であれば適用可能である。すなわち、本発明は、タッチパネルを有する携帯電話端末や携帯型の画像ビューワ、ファインダーを備えるプリンタ装置、デジタルフォトフレーム、音楽プレーヤー、ゲーム機、電子ブックリーダー、タブレットＰＣ、パーソナルコンピュータ、時計型等のウァラブル端末、車載装置、医療機器、家電などに適用可能である。
【００７９】
また、上述の各種実施形態では、画像送り処理に係る移動操作をタッチムーブや操作部７０に含まれる十字ボタン操作により行う例を説明した。しかし、これに限らず、他の操作部材への操作でもよい。すなわち、表示画像の切り替え操作は、メイン電子ダイヤル７１、サブ電子ダイヤル７３への回転操作であってもよい。たとえば、１枚画像送りは十字キーの左右キーで行い、ジャンプ送りはダイヤルへの回転操作により行ってもよい。
【００８０】
なお、上述の各種実施形態では、画像送り処理を行う位置をタッチムーブによって移動させる操作について説明をしたが、これに限らず様々な処理を行う位置（領域）の設定（選択）に適用可能である。例えば、特定の人物の顔に合焦する顔ＡＦ枠の選択や、拡大位置（ズームイン、ズームアウト）の選択等に適用可能である。さらに、ＡＥ（オートエクスポージャー、自動露光）、ＷＢ（ホワイトバランス）といった処理を行う際に、処理を行う際の基準となる被写体を選択する場合にも適用可能である。ＡＦ位置であれば、同一人物内でのＡＦ位置の変更は可能だが、人物を超えたＡＦ位置の変更は端の位置で行き止まり、もう一度タッチ操作を要するようにしてもよい。これにより意図せず、異なる被写体にピントがずれてしまう可能性を低減できる。
【００８１】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【００８２】
２８…表示部、５０…システム制御部、７０…操作部、２００ａ…第１記録媒体、２００ｂ…第２記録媒体
【図１】
2018132827.tif 000003
【図２】
2018132827.tif 000004
【図３】
2018132827.tif 000005
【図４】
2018132827.tif 000006
【図５】
2018132827.tif 000007
【図６】
2018132827.tif 000008
【図７】
2018132827.tif 000009
【図８】
2018132827.tif 000010